(57)【要約】【課題】スプリングバックの量を有効に低減するための技術を提供する。【解決手段】プレス成形品の製造方法は、金属製の板状部材に所定の形状を成形することと、板状部材における所定の形状の成形により変形しない部分に凸部を成形することと、凸部を潰すことと、を含む。【選択図】図９
2018202435.tif 000002
【特許請求の範囲】
【請求項１】
プレス成形品の製造方法であって、
金属製の板状部材に所定の形状を成形することと、
前記板状部材における前記所定の形状の成形により変形しない部分に凸部を成形することと、
前記凸部を潰すことと、
を含むプレス成形品の製造方法。
【請求項２】
請求項１に記載のプレス成形品の製造方法であって、
前記凸部は、前記所定の形状が成形される部分と隣り合う位置に成形される、プレス成形品の製造方法。
【請求項３】
請求項２に記載のプレス成形品の製造方法であって、
前記プレス成形品は、直線状に長い形状であり、
前記凸部は、前記所定の形状が成形される部分と、前記プレス成形品の長手方向に沿って隣り合う位置に成形される、プレス成形品の製造方法。
【請求項４】
請求項１から請求項３までのいずれか１項に記載のプレス成形品の製造方法であって、
前記プレス成形品は、直線状に長い形状であり、
前記凸部は、前記プレス成形品の長手方向と直交する幅方向の端部の縁となる部分を含む位置に、前記縁から前記幅方向に沿って延びる形状に成形され、前記縁から離れるほど幅が狭くなる形状である、プレス成形品の製造方法。
【請求項５】
請求項４に記載のプレス成形品の製造方法であって、
前記凸部は、前記縁から離れるほど幅が狭くなる三角形状の先端部を有する形状である、プレス成形品の製造方法。
【請求項６】
請求項５に記載のプレス成形品の製造方法であって、
前記凸部は、前記縁に近い部分の幅が一定の形状である、プレス成形品の製造方法。
【請求項７】
請求項４から請求項６までのいずれか１項に記載のプレス成形品の製造方法であって、
前記プレス成形品は、当該プレス成形品の長手方向に沿った直線状の折曲部に沿って所定の角度に折り曲げられた形状であり、
前記凸部は、前記プレス成形品において前記折曲部を挟む両側の縁となる部分を含む位置に成形される、プレス成形品の製造方法。
【請求項８】
請求項１から請求項７までのいずれか１項に記載のプレス成形品の製造方法であって、
前記所定の形状を成形することと、前記凸部を成形することと、が１つの工程で行われ、その後の工程で前記凸部が潰される、プレス成形品の製造方法。
【発明の詳細な説明】
【技術分野】
【０００１】
本開示は、プレス成形品の製造方法に関する。
【背景技術】
【０００２】
成形後に金型の荷重から解放されたプレス成形品には、内部応力の弾性回復現象に起因する形状の変化であるスプリングバックが生じる。金型は、スプリングバックの量を見込んで設計される。スプリングバックの量は、できるだけ小さい方が好ましい。
【０００３】
特許文献１には、プレス成形により引張変形する部分に、第１工程でビードを成形し、第２工程で当該ビードを潰すことにより、スプリングバックの量を低減する技術が開示されている。プレス成形により引張変形する部分には、引張応力が発生する。当該部分にビードを成形した後、ビードを潰すことで、当該部分に圧縮応力が与えられるため、引張応力が低減する。
【先行技術文献】
【特許文献】
【０００４】
【特許文献１】特許第５３８０８９０号公報
【発明の概要】
【発明が解決しようとする課題】
【０００５】
しかしながら、直線状に長い形状のプレス成形品を成形する場合に、どの位置にビードを成形することが有効であるかについては特定されていなかった。
【０００６】
本開示の一局面は、スプリングバックの量を有効に低減するための技術を提供することを目的としている。
【課題を解決するための手段】
【０００７】
本開示の一態様は、プレス成形品の製造方法であって、金属製の板状部材に所定の形状を成形することと、板状部材における所定の形状の成形により変形しない部分に凸部を成形することと、凸部を潰すことと、を含む。
【０００８】
このような製造方法によれば、金属製の板状部材に所定の形状を成形することに起因する、プレス成形品のスプリングバックの量を低減することが可能となる。すなわち、板状部材に所定の形状が成形されることにより発生する応力は、プレス成形品のスプリングバックの要因となり得る。ただし、上記製造方法では、板状部材における所定の形状の成形により変形しない部分に凸部が成形された後、当該凸部が潰される。これにより、所定の形状が成形されることにより発生する応力を抑制する応力が板状部材に発生する。したがって、上記製造方法によれば、プレス成形品において発生する応力のバランスを調整することで、プレス成形品のスプリングバックの量を低減することが可能となる。
【０００９】
本開示の一態様では、凸部は、所定の形状が成形される部分と隣り合う位置に成形されてもよい。このような製造方法によれば、所定の形状が成形される部分と隣り合わない位置に凸部が成形される製造方法と比較して、プレス成形品において発生する応力のバランスを調整しやすくすることができる。
【００１０】
本開示の一態様では、プレス成形品は、直線状に長い形状であってもよい。この場合、凸部は、所定の形状が成形される部分と、プレス成形品の長手方向に沿って隣り合う位置に成形されてもよい。このような製造方法によれば、所定の形状が成形される部分と、プレス成形品の長手方向に沿って隣り合わない位置に凸部が成形される製造方法と比較して、プレス成形品において発生する応力のバランスを調整しやすくすることができる。
【００１１】
本開示の一態様では、プレス成形品は、直線状に長い形状であってもよい。この場合、凸部は、プレス成形品の長手方向と直交する幅方向の端部の縁となる部分を含む位置に、縁から幅方向に沿って延びる形状に成形され、縁から離れるほど幅が狭くなる形状であってもよい。プレス成形品は、縁に近い部分ほど応力の影響を受けやすい。一方、凸部は、その幅が広いほど、当該凸部が潰されることにより発生する応力が大きくなる。したがって、上記製造方法によれば、例えば幅が一定の凸部を成形する場合と比較して、プレス成形品において発生する応力のバランスを調整しやすくすることができる。
【００１２】
本開示の一態様では、凸部は、縁から離れるほど幅が狭くなる三角形状の先端部を有する形状であってもよい。このような製造方法によれば、例えば半円形状の凸部と比較して、縁から離れた部分をより少ない力で平らに潰しやすくすることができる。
【００１３】
本開示の一態様では、凸部は、縁に近い部分の幅が一定の形状であってもよい。このような製造方法によれば、凸部が成形される位置に多少のばらつきがあっても、凸部におけるプレス成形品の縁に近い部分は一定の幅が確保される。したがって、凸部が成形される位置のばらつきに起因する効果のばらつきを抑制することができる。
【００１４】
本開示の一態様では、プレス成形品は、当該プレス成形品の長手方向に沿った直線状の折曲部に沿って所定の角度に折り曲げられた形状であってもよい。この場合、凸部は、プレス成形品において折曲部を挟む両側の縁となる部分を含む位置に成形されてもよい。このような形状のプレス成形品では、折曲部付近は応力の影響を受けにくく、折曲部を挟む両側の縁に近いほど応力の影響を受けやすい。したがって、上記製造方法によれば、プレス成形品において折曲部を挟む両側の縁となる部分を含む位置とは異なる位置に凸部が形成される場合と比較して、プレス成形品において発生する応力のバランスを調整しやすくすることができる。
【００１５】
本開示の一態様では、所定の形状を成形することと、凸部を成形することと、が１つの工程で行われ、その後の工程で凸部が潰されてもよい。
【図面の簡単な説明】
【００１６】
【図１】プレス成形品の斜視図である。
【図２】第１の曲げ工程におけるプレス加工前の状態を示す模式的な断面図である。
【図３】第１の曲げ工程におけるプレス加工後の状態を示す模式的な断面図である。
【図４】第２の曲げ工程におけるプレス加工前の状態を示す模式的な断面図である。
【図５】第２の曲げ工程におけるプレス加工後の状態を示す模式的な断面図である。
【図６】第３の曲げ工程におけるプレス加工前の状態を示す模式的な断面図である。
【図７】第３の曲げ工程におけるプレス加工後の状態を示す模式的な断面図である。
【図８】トリム加工後の板状部材の平面図である。
【図９】第１の曲げ工程におけるプレス加工後の板状部材の斜視図である。
【図１０】第１の曲げ工程におけるプレス加工後の板状部材の平面図である。
【図１１】凸部の平面図である。
【図１２】凸部の斜視図である。
【発明を実施するための形態】
【００１７】
以下、本開示の例示的な実施形態について図面を参照しながら説明する。
［１．プレス成形品の構成］
図１に示すプレス成形品１は、金属製の自動車用部品である。具体的には、プレス成形品１は、自動車の左右両側に設けられるフレーム部品を補強するために用いられる。なお、プレス成形品１の材料としては、例えば、薄板鋼板や表面処理鋼板などの鋼板が用いられる。
【００１８】
プレス成形品１は、直線状に長い形状の板状部品である。プレス成形品１は、当該プレス成形品１の長手方向Ａに沿った直線状の折曲部１１に沿って所定の角度θ、例えば９０度に折り曲げられた形状である。つまり、長手方向Ａに垂直なプレス成形品１の断面は、Ｌ字状である。なお、角度θは、設計要求により指定される完成品の角度である。
【００１９】
プレス成形品１は、複数の段差部１２を有する。段差部１２とは、プレス成形品１における成形加工が施されていない部分の面である基準面に対して突出した又は凹んだ部分である。段差部１２は、プレス成形品１の剛性を高める機能を有する。また、段差部１２は、前述したフレーム部品に対して、例えばスポット溶接等の溶接を行うための溶接面としても機能し得る。なお、プレス成形品１には、１つ以上の貫通孔１３が形成されていてもよい。
【００２０】
［２．製造方法］
次に、プレス成形品１の製造方法について説明する。プレス成形品１の製造工程には、図２及び図３に示す第１の曲げ工程と、図４及び図５に示す第２の曲げ工程と、図６及び図７に示す第３の曲げ工程と、が含まれる。
【００２１】
＜前工程＞
第１の曲げ工程の前工程では、金属製の平面状の板状部材９１に対してトリム加工が行われ、不要な部分が除去される。図８に示すように、トリム加工後の板状部材９１は、互いに平行に配置された２つの帯状部９１ａが１つ以上の連結部９１ｂによって連結された形状である。プレス成形品１は、これら２つの帯状部９１ａのそれぞれから製造される。つまり、本実施形態では、１つの板状部材９１から、最終的に２つのプレス成形品１が製造される。なお、厳密には、１つの板状部材９１から製造される２つのプレス成形品１は、自動車における左側及び右側に配置されるものであり、細かな形状は異なり得る。
【００２２】
＜第１の曲げ工程＞
図２及び図３に示す第１の曲げ工程では、トリム加工後の板状部材９１に対して、上型１０１及び下型１０２を用いたプレス加工が行われる。具体的には、第１の曲げ工程では、板状部材９１に対して、次の（１ａ  第１の曲げ加工）〜（１ｃ  第２の成形加工）の加工が、１つの工程で、つまり同時に行われる。なお、図３に示す板状部材９１の断面は、後述する図１０のIII−III断面図である。
【００２３】
（１ａ  第１の曲げ加工）
板状部材９１を、互いに平行な２つの折曲線に沿って折り曲げる第１の曲げ加工が行われる。第１の曲げ加工で折り曲げられる２つの箇所は、板状部材９１から製造される２つのプレス成形品１のそれぞれの折曲部１１に相当する箇所であって、図８において破線１１ａで示された部分である。第１の曲げ加工はいわゆる予備曲げ加工である。すなわち、板状部材９１は、この段階では角度θまでは折り曲げられず、角度θよりも大きい角度に折り曲げられる。
【００２４】
（１ｂ  第１の成形加工）
図９及び図１０に示すように、板状部材９１の平面部分に、成形前よりも表面積が増大する所定の形状である複数の段差部１２を成形する第１の成形加工が行われる。具体的には、段差部１２は、板状部材９１における基準面に対して前述したフレーム部品側へ突出した位置にある平面状の座面１２１と、座面１２１の外周を囲む斜面１２２と、を有する。段差部１２において、座面１２１は、第１の成形加工により変形しない部分であり、斜面１２２は、第１の成形加工により変形する部分である。成形により変形する部分とは、成形により部分的に引張変形又は圧縮変形が発生する部分のことをいう。座面１２１は、長手方向Ａと垂直な幅よりも、長手方向Ａに沿った長さの方が大きい形状である。本実施形態では、段差部１２は、板状部材９１における長手方向Ａと直交する幅方向の端部の縁となる部分を含む位置に成形される。板状部材９１には、段差部１２が成形されることにより応力が発生する。この応力は、板状部材９１が反るように変形するスプリングバックの要因となり得る。
【００２５】
（１ｃ  第２の成形加工）
板状部材９１の平面部分であって、段差部１２の成形により変形しない部分、この例では段差部１２が成形されない部分に、複数の凸部９３を成形する第２の成形加工が行われる。凸部９３は、板状部材９１の平面部分の両面のうち一方の面から力が加えられることにより、当該面が凹み、他方の面が突出した部分である。本実施形態において、凸部９３はいわゆるビードである。凸部９３は、段差部１２が成形される部分と、長手方向Ａに沿って隣り合う位置に成形される。具体的には、凸部９３は、プレス成形品１における長手方向Ａと直交する幅方向の縁となる部分を含む位置に、縁から幅方向に沿って延びる形状に成形される。換言すれば、凸部９３は、プレス成形品１において折曲部１１を挟む両側の縁となる部分を含む位置に成形される。凸部９３は、図１１に示すように、平面視において、換言すれば、板状部材９１の平面部分の面と直交する方向から見て、プレス成形品１の縁となる位置から離れるほど、換言すれば折曲部１１に近づくほど、幅が狭くなる三角形状の先端部を有する形状であって、当該縁に近い部分の幅が一定の形状である。凸部９３は、図１２に示すように、板状部材９１における基準面に対して、曲面状、具体的には円錐面状に突出している。凸部９３は、前述したフレーム部品側とは反対側、つまり、段差部１２とは反対側へ突出している。
【００２６】
＜第２の曲げ工程＞
図４及び５に示す第２の曲げ工程では、第１の曲げ工程後の板状部材９１に対して、上型２０１及び下型２０２を用いたプレス加工が行われる。具体的には、第２の曲げ工程では、板状部材９１に対して、次の（２ａ  第２の曲げ加工）〜（２ｂ  第３の成形加工）の加工が、１つの工程で、つまり同時に行われる。
【００２７】
（２ａ  第２の曲げ加工）
板状部材９１における第１の曲げ加工で折り曲げた箇所、つまり、プレス成形品１の折曲部１１に相当する箇所であって図８において破線１１ａで示された部分で、板状部材９１を、第１の曲げ加工よりも角度θに近い角度まで折り曲げる第２の曲げ加工が行われる。
（２ｂ  第３の成形加工）
第２の成形加工で成形されたすべての凸部９３を平面状に潰す第３の成形加工が行われる。板状部材９１には、凸部９３が潰されることにより、第１の成形加工で段差部１２が成形されることにより発生した応力を抑制する応力が発生する。その結果、板状部材９１において発生する応力のバランスが調整される。ここで、凸部９３を潰すとは、凸部９３を成形する前の平面部分の形状に近づけるように成形することを意味する。
【００２８】
＜第３の曲げ工程＞
図６及び図７に示す第３の曲げ工程では、第２の曲げ工程後の板状部材９１に対して、上型３０１及び下型３０２を用いたプレス加工が行われる。具体的には、第３の曲げ工程では、板状部材９１に対して、次の（３ａ  第３の曲げ加工）の加工が行われる。
【００２９】
（３ａ  第３の曲げ加工）
板状部材９１における第２の曲げ加工で折り曲げた箇所、つまり、プレス成形品１の折曲部１１に相当する箇所であって図８において破線１１ａで示された部分で、板状部材９１を、角度θまで折り曲げる第３の曲げ加工が行われる。
＜後工程＞
第３の曲げ工程の後、板状部材９１の連結部９１ｂが切断されるなどして、２つのプレス成形品１が完成する。
【００３０】
［３．効果］
以上詳述した実施形態によれば、以下の効果が得られる。
（１）プレス成形品１の製造方法には、板状部材９１に段差部１２を成形することと、板状部材９１における段差部１２の成形により変形しない部分に凸部９３を成形することと、凸部９３を潰すことと、が含まれる。
【００３１】
このような製造方法によれば、板状部材９１に段差部１２を成形することに起因する、プレス成形品１のスプリングバックの量を低減することが可能となる。すなわち、板状部材９１に段差部１２が成形されることにより発生する応力は、プレス成形品１のスプリングバックの要因となり、長手方向Ａに沿った反りが生じ得る。ただし、本実施形態の製造方法では、板状部材９１における段差部１２の成形により変形しない部分に凸部９３が成形された後、当該凸部９３が潰される。これにより、段差部１２が成形されることにより発生する応力を抑制する応力が板状部材９１に発生する。したがって、上記製造方法によれば、プレス成形品１において発生する応力のバランスを調整することで、プレス成形品１のスプリングバックの量を低減することができる。
【００３２】
（２）凸部９３は、段差部１２が成形される部分と隣り合う位置に成形される。したがって、段差部１２が成形される部分と隣り合わない位置に凸部９３が成形される製造方法と比較して、プレス成形品１において発生する応力のバランスを調整しやすくすることができる。
【００３３】
（３）凸部９３は、段差部１２が成形される部分と長手方向Ａに沿って隣り合う位置に成形される。したがって、段差部１２が成形される部分と長手方向Ａに沿って隣り合わない位置に凸部９３が成形される製造方法と比較して、プレス成形品１において発生する応力のバランスを調整しやすくすることができる。
【００３４】
（４）凸部９３は、プレス成形品１における長手方向Ａと直交する幅方向の縁となる部分を含む位置に、縁から幅方向に沿って延びる形状に成形され、縁から離れるほど幅が狭くなる形状である。プレス成形品１は、縁に近い部分ほど応力の影響を受けやすい。一方、凸部９３は、その幅が広いほど、当該凸部９３が潰されることにより発生する応力が大きくなる。したがって、例えば幅が一定の凸部を成形する場合と比較して、プレス成形品において発生する応力のバランスを調整しやすくすることができる。また、プレス成形品における縁となる部分を含まない位置に、例えば円形状の凸部を成形する場合と比較して、より少ない力で平らに潰しやすくすることができる。
【００３５】
（５）凸部９３は、プレス成形品１の縁から離れるほど幅が狭くなる三角形状（円錐形状を含む）の先端部を有する。したがって、例えば半円形状の凸部を成形する場合と比較して、縁から離れた部分をより少ない力で平らに潰しやすくすることができる。
【００３６】
（６）凸部９３は、縁に近い部分の幅が一定の形状である。したがって、凸部９３が成形される位置に多少のばらつきがあっても、凸部９３におけるプレス成形品１の縁に近い部分は一定の幅が確保される。したがって、凸部９３が成形される位置にばらつきが生じても縁部では一定の応力緩和効果が得られるので加工精度に起因する効果のばらつきを抑制することができる。
【００３７】
（７）凸部９３は、プレス成形品１において折曲部１１を挟む両側の縁となる部分を含む位置に成形される。このような形状のプレス成形品１では、折曲部１１付近は応力の影響を受けにくく、折曲部１１を挟む両側の縁に近いほど応力の影響を受けやすい。したがって、プレス成形品１において折曲部１１を挟む両側の縁となる部分を含む位置とは異なる位置に凸部９３が形成される場合と比較して、プレス成形品１において発生する応力のバランスを調整しやすくすることができる。
（８）第２の成形加工において、凸部９３は、前述したフレーム部品側とは反対側へ突出するように成形される。したがって、フレーム部品に対してプレス成形品１が溶接により組み付けられる際に、凸部９３、より正確には第３の成形加工で潰された凸部９３が、溶接に影響しにくくすることができる。
【００３８】
［４．他の実施形態］
以上、本開示の実施形態について説明したが、本開示は、上記実施形態に限定されることなく、種々の形態を採り得ることは言うまでもない。
【００３９】
（１）上記実施形態では、段差部１２を成形することと、凸部９３を成形することと、が一つの工程で行われ、その後の工程で凸部９３が潰される製造方法を例示したが、成形の順序は上記実施形態で例示した順序に限定されるものではない。例えば、段差部１２が成形される工程よりも前の工程で凸部９３が成形されてもよい。この場合、凸部９３を潰すタイミングは、段差部１２が成形される工程よりも前の工程、段差部１２が成形される工程と同じ工程、段差部１２が成形される工程よりも後の工程、のいずれであってもよい。また例えば、段差部１２が成形される工程よりも後の工程で凸部９３が成形され、その後の工程で凸部９３が潰されてもよい。
【００４０】
（２）凸部が成形される位置は、板状部材９１において、段差部１２が成形される部分と長手方向Ａに沿って隣り合う位置に限定されるものではない。例えば、段差部１２における第１の成形加工により変形しない部分である座面１２１に、凸部９３が成形されてもよい。
【００４１】
（３）第１の成形加工で成形される形状は、段差部１２に限定されるものではなく、他の形状であってもよい。
（４）プレス成形品１の材料は鋼板に限定されるものではなく、例えば、ステンレススチールやアルミニウム合金などであってもよい。
【００４２】
（５）上記実施形態では、自動車の左右両側に設けられるフレーム部品を補強するプレス成形品１を例示したが、プレス成形品はこれに限定されるものではない。例えば、プレス成形品は、他の自動車用部品であってもよく、また、自動車用部品以外の部品であってもよい。
【００４３】
（６）上記実施形態における１つの構成要素が有する機能を複数の構成要素として分散させたり、複数の構成要素が有する機能を１つの構成要素に統合したりしてもよい。また、上記実施形態の構成の一部を省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【符号の説明】
【００４４】
１…プレス成形品、１１…折曲部、１２…段差部、９１…板状部材、９３…凸部、１０１ａ，２０１ａ，３０１ａ…上型、１０１ｂ，２０１ｂ，３０１ｂ…下型、１２１…座面、１２２…斜面。
【図１】
2018202435.tif 000003
【図２】
2018202435.tif 000004
【図３】
2018202435.tif 000005
【図４】
2018202435.tif 000006
【図５】
2018202435.tif 000007
【図６】
2018202435.tif 000008
【図７】
2018202435.tif 000009
【図８】
2018202435.tif 000010
【図９】
2018202435.tif 000011
【図１０】
2018202435.tif 000012
【図１１】
2018202435.tif 000013
【図１２】
2018202435.tif 000014